(57)【要約】【課題】アルミ製エキスパンドメタルを用いた従来型の透光型吸音パネルは電波を反射するのでＥＴＣ（自動料金収受システム）の近傍で用いるとシステム誤動作の原因になる可能性がある。本発明により、透光性・見通し性を損なうこと無しに、電波反射の極めて少ない透光型膜振動吸音板ならびに吸音パネルを提供する。【解決手段】樹脂製網と、対象とする電磁波の少なくとも１波長よりも大きな開口を有する金網の間に、透明樹脂薄膜を挟持した透光型膜振動吸音板の提供。【選択図】図１
2004353294.tif 000002
【特許請求の範囲】
【請求項１】
多数の開口を有する樹脂製網と、対象とする電磁波の少なくとも１波長よりも大きな開口を有する金網の間に、少なくとも１枚の透明樹脂薄膜を挟持してなることを特長とする透光型膜振動吸音板。
【請求項２】
請求項１に記載の透光型膜振動吸音板と、透明樹脂製遮音板と、それらを保持する枠部材より構成される透光型吸音パネルであって、少なくとも前記枠部材の内側に軟質繊維系多孔質吸音材もしくは連続気泡型弾性フォーム吸音材を内張りしたことを特徴とする、透光型吸音パネル。
【発明の詳細な説明】
【０００１】
【発明の属する技術分野】
本発明は、道路や鉄道等の防音壁に関する技術分野に属する。詳しくは、吸音特性のみならず、必要に応じて吸音体を通しての見透し性や透光性を有する防音壁に関する。また、対象とする周波数の電磁波を反射しない透光型膜振動吸音板に関する。
【０００２】
【従来の技術】
道路や鉄道等の防音壁としては、音源側は多数のスリットを形成した金属板とし、背面の遮音板は金属板とした金属製の筐体の中に、グラスウール等の軟質繊維系多孔質吸音材を、紫外線や雨水などによる劣化を防止する目的で、耐候性フィルム（ＰＶＦ）で保護したものを装入したものが一般的である。
【０００３】
また、道路両側の民家への日照対策や景観対策、眺望対策として透明な樹脂板等を用いた透光型の防音壁等があげられる。
【０００４】
さらに最近、透光型膜振動吸音板と透明な樹脂板とを組み合わせた透光・吸音型の防音壁が実用化されている。
【０００５】
【発明が解決しようとする課題】
前記透光型膜振動吸音板と透明な樹脂板とを組み合わせた透光・吸音型の防音壁の実用化により、それ以前の音源側は多数のスリットを形成した金属板とし、背面の遮音板は金属板とした金属製の筐体の中に、グラスウール等の軟質繊維系多孔質吸音材を装入した吸音パネルでの課題であった、道路両側の民家への日照の問題や景観上の問題、同乗者が外の景色を見ることができない眺望上の問題はほぼ解決されたものの、将来的には下記問題を内在している。
【０００６】
本発明者等によって発明された透光型膜振動吸音材（特許第２５１８５８９号）ならびに防音壁（特許第３３９２０７０号）に用いられている透光型吸音材はアルミニウム製の、メッシュサイズが２０ｍｍ以下の２枚のアルミニウム製エキスパンドメタルを用いている。従ってＩＴＳ（高度道路交通システム）のＥＴＣ（自動料金収受システム）の近傍でこの膜振動吸音材を用いた場合には、車輛と情報交換をするための電波を反射するので、システムの誤動作や電波障害などの原因になる恐れがある。
【０００７】
本発明の目的は、上記電波反射の問題点を解決することにあり、透光性・見通し性を損なうこと無しに、電波反射も防止可能な透光型膜振動吸音板ならびに吸音パネルを提供することにある。
【０００８】
【課題を解決するための手段】
本出願人は、前記膜振動吸音板に用いる金網の開口を、対象とする電磁波の１波長以上にすれば、対象とする電磁波の透過や反射に関して金網の存在を無視できることを見出して本発明に至ったものである。
【０００９】
本発明の第一の態様は、多数の開口を有する樹脂製網と、対象とする電磁波の少なくとも１波長よりも大きな開口を有する金網の間に、少なくとも１枚の透明樹脂薄膜を挟持してなることを特長とする透光型膜振動吸音板である。
【００１０】
本発明の第二の態様は、第一の態様に記載の透光型膜振動吸音板と、透明樹脂製遮音板と、それらを保持する枠部材より構成される透光型吸音パネルであって、少なくとも前記枠部材の内側に軟質繊維系多孔質吸音材もしくは連続気泡型弾性フォーム吸音材を内張りしたことを特徴とする、透光型吸音パネルである。
【００１１】
【発明の実施の形態】
高速道路の自動料金収受システム（ＥＴＣ）に代表されるＤＳＲＣ（狭域無線通信）においては、５．８ＧＨｚ帯の電波が用いられている。
５．８ＧＨｚの電波の１波長は下記（１）式より算定できる。
λ＝ｃ／ｆ      （１）
ここで、λ：波長（ｍ）、ｃ：電磁波の速度（２．９９７９２４５８×１０８ｍ／ｓ）、
ｆ：周波数（Ｈｚ）
（１）式より電磁波  ５．８ＧＨｚの１波長を算出すると５２ｍｍとなる。
【００１２】
以下、本発明の透光型膜振動吸音板および透光型吸音パネルについて、添付の図面を参照して詳細に説明する。
なお、以下の説明において、連続気泡型弾性フォーム吸音材とは、樹脂製の非常に緻密な内部セル（細孔）構造を有し、これらのセル（細孔）が互いに繋がりあって材料の表裏面を空気が通過できる構造（オープンセル）をした発泡体であり、音波（振動する空気粒子）は、この細孔内を通過する際摩擦抵抗を受けて熱エネルギーに変換され吸音される。
【００１３】
まず、本発明の膜振動吸音材の構造ならびに構成材料について、図１を用いて説明する。図１の１１は電波を反射しない、すなわち電波透過性の、多数の開口を有する樹脂製網である。開口の形状は菱形にこだわるものでなく、矩形や方形でもかまわない。
【００１４】
図１の１２は対象とする電磁波の少なくとも１波長よりも大きな開口を有する正方形の金網である。膜振動吸音材の剛性向上の観点から、また電磁波の反射を最小ならしめる観点から小さな線径が好ましく、用いる金属材料は鋼線が好ましい。
【００１５】
なお、電磁波を反射しない透光型膜振動吸音板の構成材料としては、前記金網製にこだわるものではなく、剛性の強い樹脂製網の入手が容易であれば、前記金網の替わりにこれを用いてもかまわない。その場合、樹脂網の開口の大きさは電磁波の波長の大きさとの係わりはなく、吸音率との関係において決定される。
【００１６】
図１の１３は透明な樹脂薄膜であり、吸音特性、耐候性、耐久性等の点で、弗化エチレン系薄膜、ポリ弗化ビニリデン系薄膜が特に好適に適用される。
弗化エチレン系薄膜に用いられる弗化エチレン系の樹脂としては、公知の各種のものが例示されるが、４弗化エチレン（ＰＴＦＥ）、４弗化エチレン・ポリエチレン共重合体（ＥＴＦＥ）、３弗化エチレン（ＰＣＴＦＥ）等が好適に例示される。これらの弗化エチレン系樹脂は、準不燃性で、かつ耐薬品性、耐候性、耐熱性に優れたものである。ポリビニリデン系薄膜として用いられるポリビニリデン系の樹脂としては、公知の各種のものが例示されるが、２弗化ビニリデン（ＰＶＤＦ）、弗化ビニリデン・サイアナイド等が好適に例示される。これらのビニリデン系樹脂は耐薬品性および耐候性に優れたものである。
【００１７】
このような透明樹脂薄膜１３の厚さには特に限定はないが、好適な膜振動を得、良好な吸音特性を実現するためには４μｍ〜２５μｍ、好ましくは５μｍ〜１５μｍとするのがよい。
【００１８】
透明樹脂薄膜１３は図１の（ｂ）に示すように、樹脂製網１１と金網１２の間に一枚挟持して用いてもよいし、また図１の（ｃ）に示すように、さらにもう１枚を樹脂製網１１の上に重ねて用いてもよい。
【００１９】
さて、本発明に用いる軟質繊維系多孔質吸音材とはグラスウールに代表される繊維系の吸音材である。また、連続気泡型弾性フォーム吸音材とは、樹脂製の非常に緻密な内部セル（細孔）構造を有し、これらのセル（細孔）が互いに繋がりあって材料の表裏面を空気が通過できる構造（オープンセル）をした発泡体であり、音波（振動する空気粒子）は、この細孔内を通過する際摩擦抵抗を受けて熱エネルギーに変換され吸音される。
【００２０】
図２に、パネル枠２１内側の４周に、樹脂薄膜製袋入り連続気泡型弾性フォーム吸音材２３を内張りし、さらにパネル枠内の中央部にも樹脂薄膜製袋入り連続気泡型弾性フォーム吸音材２４をセットした状況を説明する平面図を示す。
図２の（ｂ）は、（ａ）のｂ−ｂ線断面図である。
【００２１】
図３の（ａ）にパネル枠内に、樹脂薄膜製袋入り連続気泡型弾性フォーム吸音材３１を格子状にセットした場合の平面図を示す。また、（ｂ）はｃ−ｃ線断面図である。図２、図３のいずれの場合においても、パネルの底板として透明樹脂製遮音板２５を用いることにより、透光型吸音パネル２０と３０の製造が可能となる。
【００２２】
また、上記透明樹脂製遮音板の替わりに、最近市販された透明電波吸収体を用いることにより、透光型電波・音波吸収パネルの製造が可能となる。
【００２３】
【実施例１】
図２に示すようにな、２０００ｍ（長さ）×５００ｍｍ（幅）×８０ｍｍ（深さ）で、上面のみが開放する筐体２２を製作した。なお、この筐体２２の底面は厚さが５ｍｍの透明樹脂製遮音板２５で、４周の側壁２１は厚さ１ｍｍのアルミ板を用いて箱状に加工してなる、幅２５ｍｍ（すなわち、これが側壁の厚さ）の板材を組み合わせたものである。
【００２４】
この筐体２２の側壁２１の内側に、厚さ２１μｍの弗化エチレン系薄膜でラッピングした厚さが２５ｍｍ、高さが８０ｍｍの連続気泡型弾性フォーム吸音材２３を内張りした。さらに、パネル枠内の中央部にも、上記ラッピンングした連続気泡型弾性フォーム吸音材２４をセットした。
【００２５】
ラッピンングした連続気泡型弾性フォーム吸音材２４のセット方法は、図２に示すパネルの中央部にパネルの長辺側と平行にセットする方法にこだわるものではなく、図３に示すように、パネルの短辺側と平行にセットしてもよい。
前記筐体２２の上面（開放面）を閉塞するように、図１（ａ）と（ｂ）に示す透光型膜振動吸音板１０を取り付けて、透光型吸音パネル２０を製作した。
【００２６】
なお、透光型膜振動吸音板１０を構成する樹脂製網１１としては、メッシュ形状が矩形（１６ｍｍ×１８ｍｍ）で、左記１６ｍｍ側を構成する樹脂（横糸）は、平均巾が約４ｍｍで厚みが約１．５ｍｍの板状体であり、また１８ｍｍ側（縦糸）は、平均巾が約１．５ｍｍで厚みが約１．５ｍｍの、２本の樹脂製糸を捩じらせて、前記樹脂（横糸）に絡ませた構造のものを用いた。
【００２７】
また、金網としてはステンレス（ＳＵＳ３０４）製の、線径が３．２ｍｍφで網目の形状が正方形、その一辺が７２ｍｍのものを用いた。
【００２８】
透明な樹脂薄膜１３としては、厚さが１２μｍのフッソ系樹脂薄膜を用いた。この樹脂薄膜１３を、両面テープを用いて、前記樹脂製網１１に貼りつけた。
【００２９】
この透光型吸音パネル２０について、ＪＩＳ  Ａ１４０９−１９６７に準じて残響室法吸音率を測定した結果を、表１に示す。この表から明らかなように、高速道路用の防音壁として用いる場合においても充分な吸音特性を有する、透光型吸音パネルであることが明らかである。
【００３０】
【表１】
2004353294.tif 000003
【００３１】
【発明の効果】
以上詳細に説明したように、本発明による防音壁を用いることにより、見通し性のある、透光型吸音パネルを提供するとともに、当該パネルの底板である透明樹脂製遮音板２５の替わりに、最近市販された透明電波吸収体を用いることにより、透光型電波・音波吸収パネルの製造も可能となる。
【図面の簡単な説明】
【図１】（ａ）、（ｂ）および（ｃ）は、透光型膜振動吸音板の構成を説明するための概念図である。
【図２】（ａ）は透光型吸音パネルの平面図であり、（ｂ）はｂ−ｂ線断面図である。
【図３】（ａ）は透光型吸音パネルの平面図であり、（ｂ）はｃ−ｃ線断面図である。
【符号の説明】
１０  透光型膜振動吸音板
１１  樹脂製網
１２  金網
１３  透明樹脂薄膜
２０  透光型吸音パネル
２１  側壁
２２  筐体
２３  連続気泡型弾性フォーム吸音材
２４  連続気泡型弾性フォーム吸音材
２５  透明樹脂製遮音板
３０  透光型吸音パネル
【図１】
2004353294.tif 000004
【図２】
2004353294.tif 000005
【図３】
2004353294.tif 000006